(57)【要約】【課題】電池室内に設けられ、電池を自動的に回転させる電池電極のクリーニング装置を提供する。【解決手段】電池４、５の発熱により電池室６の内部温度が変形温度に達し、形状記憶スプリング１９が、記憶された形状に縮むことにより、形状記憶スプリング１９の一端は、ローラー１８の外周面を引っ張りローラー１８を図中反時計方向に回転させる。その後、電池室６の内部温度が変形温度を下回ると、形状記憶スプリング１９の形状記憶がなくなるため、引張スプリング２１の一端は、ローラー１８の外周面を引っ張りローラー１８を図中時計方向に回転させる。このローラー１８の回転とともに、外周面がゴム素材等により形成され摩擦抵抗が高められているローラー１８と当接した電池４、５は、摩擦抵抗を受け図中時計方向へ回転する。【選択図】        図２
2004152692.tif 000002
【特許請求の範囲】
【請求項１】
電池室内の電源端子に電極が圧着するように円柱状の電池を装填したときに電池の外周面に平行に接触するローラーと、このローラーを回転の初期位置に戻すように付勢するバネ手段と、電池を使用したときの発熱に伴う温度上昇に応じて変形し前記バネ手段の付勢に抗してローラーを回転させる形状記憶合金からなる駆動部材とを備え、前期ローラーの回転で電池を回転させることにより電源端子に電池の電極をこすり合わせて酸化皮膜を除去するようにしたことを特徴とする電池電極のクリーニング装置。
【請求項２】
前記ローラーは、平行に並べて装填された２本の電池の双方の外周面に接触していることを特徴とする請求項１記載の電池電極のクリーニング装置。
【発明の詳細な説明】
【０００１】
【発明の属する技術分野】
本発明は、各種電気機器の電池室に装填された電池を回転させ、電池電極の酸化皮膜を除去する電池電極のクリーニング装置に関するものである。
【０００２】
【従来の技術】
各種電気機器の電源として乾電池が普及している。乾電池は、電気機器の電池室に装填され、機器の動作を制御する制御回路に直流電源を供給する。この電池を用いた電源供給時に、電池電極表面や端子表面に酸化皮膜が発生することが知られている。この酸化皮膜が蓄積すると電池が接触不良となり、制御回路への電源供給が滞り機器が動作不能となることがあった。
【０００３】
このような酸化皮膜を除去するために、電池が装填されている電池室の蓋を取り外し、定期的に電池を回転させる必要があった。しかし、電池の回転のために電池室の蓋を開閉する作業は面倒であることから、蓋を取り外すことなく電池を回転させる装置が知られている（例えば、特許文献１参照）。
【０００４】
上記特許文献１記載の装置には、電池室を開閉する蓋に操作開口が設けられており、この操作開口に指先を挿入して電池を回転させている。また、蓋の内面側に主に電池の外周面と当接する当接板を配し、この当接板と連結した操作部を蓋の外面側に設け、蓋に形成されたガイド溝に沿って操作部と一体に当接板を動かすことにより、当接板に当接した電池を回転させている。
【０００５】
【特許文献１】
実開平６−４４０１６号公報
【０００６】
【発明が解決しようとする課題】
しかし、従来の装置では、電池の接触不良を気にかける必要があり、接触不良となった際に、手動により電池を回転させていたので手間がかかっていた。また、電池電極と接続される電源端子が、電池室の蓋の内面側に設けられている電気機器においては、蓋に操作開口やガイド溝を設けたり、当接板を蓋の内面側に配すことは難しく、また、電池の端面に当接板を当接させ電池を回転させることも難しい。さらに、蓋に設けた操作開口やガイド溝、操作部が、機器の外観を損ないかねなかった。
【０００７】
そこで、本発明は、電池室内に設けられ、電池を自動的に回転させる電池電極のクリーニング装置を提供することを目的とする。
【０００８】
【課題を解決するための手段】
上記目的を達成するために、請求項１記載の発明である電池電極のクリーニング装置では、電池室内の電源端子に電極が圧着するように円柱状の電池を装填したときに電池の外周面に平行に接触するローラーと、このローラーを回転の初期位置に戻すように付勢するバネ手段と、電池を使用したときの発熱に伴う温度上昇に応じて変形し前記バネ手段の付勢に抗してローラーを回転させる形状記憶合金からなる駆動部材とを備え、前期ローラーの回転で電池を回転させることにより電源端子に電池の電極をこすり合わせて酸化皮膜を除去するようにしたことを特徴とする。また、請求項２記載の発明では、請求項１記載の装置において、前記ローラーは、平行に並べて装填された２本の電池の双方の外周面に接触したことを特徴とする。
【０００９】
【発明の実施の形態】
図１は、本発明を実施したリモートコントローラ（以下、リモコン）の外観斜視図を示している。リモコン２は、操作コマンドを赤外線信号として発信し、対応する機器本体を遠隔操作する操作支援装置である。リモコン本体３の背面には、電源となる単三乾電池４、５（以下、電池４、５）が装填される電池室６が設けられている。電池室６には、電池室６の開口を開閉する蓋７が着脱自在にされている。蓋７を電池室６の開口を形成している支持枠８に沿って図中矢印方向にスライドさせ、突起部７ａ、７ｂと蓋７の内面側に設けられた図示しない両突起部とを、それぞれ位置決め穴９ａ、９ｂ、９ｃ、９ｄに挿入しながらフック７ｃをフック穴１０に引っ掛けることにより電池室６が閉じられる。また、滑止部７ｄを押圧することでフック７ｃを外し、蓋７を図中矢印と逆方向にスライドさせることにより電池室６が開かれる。
【００１０】
電池室６の一方の内側面には、正極電源端子１１ａと負極電源端子１２ａとが備え付けられ、他方の内側面には、負極電源端子１１ｂと正極電源端子１２ｂとが備え付けられている。この正極電源端子１１ａと負極電源端子１１ｂ及び負極電源端子１２ａと正極電源端子１２ｂとに、各々電池４、５の電極が接続され、リモコン本体３の制御回路に直流電源が供給される。
【００１１】
図２は、本発明を実施したリモコンに設けられた電池室の断面図を示している。電池室６には、電池電極が電池室６の各々電源端子と接続した状態で電池４、５を保持する電池台１５、１６が設けられ、この電池台１５と電池台１６との間には、軸着リブ１７が設けられている。この軸着リブ１７に設けられた回転軸１７ａにローラー１８の一方側端面の中心が軸着され、図示しない他方側端面も図示しない同様の軸着リブの回転軸により軸着され、ローラー１８は回転自在となっている。また、ローラー１８の外周面の上側は、電池台１５、１６に保持された電池４、５の外周面と当接している。
【００１２】
ローラー１８の外周面には、形状記憶合金を素材とした形状記憶スプリング１９の一端が取り付けられ、他端は電池台１５の中空部内に設けられた係止リブ２０ａに係止されている。また、ローラー１８の外周面には、形状記憶スプリング１９と対向するように、引張スプリング２１の一端が取り付けられ、他端は電池台１６の中空部内に設けられた係止リブ２０ｂに係止されている。形状記憶スプリング１９が温度変化による形状記憶変化を起こしていない場合には、形状記憶スプリング１９と引張スプリング２１とは実線で示す状態となり、形状記憶スプリング１９の一端はローラー１８の外周面の下端部に位置し、引張スプリング２１の一端はローラー１８の外周面の下端部よりも上方に位置し、相方は釣合い状態にある。
【００１３】
形状記憶スプリング１９が形状記憶変化を始める変形温度は、リモコン本体３未使用時における電池室６の内部温度に近い値に設定されている。このため、リモコン本体３使用時には、電池４、５の発熱により電池室６の内部温度が変形温度に達し、形状記憶スプリング１９は、記憶された形状に縮む。また、このときの形状記憶スプリング１９の縮む力量は、引張スプリング２１の弾性力よりも強くされている。
【００１４】
形状記憶スプリング１９が縮むことにより、形状記憶スプリング１９の一端は、ローラー１８の外周面を引っ張りローラー１８を図中反時計方向に回転させる。このとき、外周面がゴム素材等により形成され摩擦抵抗が高められているローラー１８と当接した電池４、５は、摩擦抵抗を受け図中時計方向に回転する。また、形状記憶スプリング１９が記憶された形状に縮んでいる場合、形状記憶スプリング１９と引張スプリング２１とは破線で示す状態となる。引張スプリング２１の一端は、ローラー１８の下端部に位置し、形状記憶スプリング１９の一端は、ローラー１８の下端部よりも上方に位置するようになる。
【００１５】
形状記憶スプリング１９が形状記憶変化により縮んだ後、リモコン本体３未使用状態となり、電池室６の内部温度が変形温度を下回ると、形状記憶スプリング１９の形状記憶がなくなるため、引張スプリング２１の付勢により、形状記憶スプリング１９と引張スプリング２１とは、実線で示す釣合いの状態に戻る。このとき、引張スプリング２１の弾性力は電池４、５を回転させるのに十分な値にされており、引張スプリング２１の一端は、ローラー１８の外周面を引っ張りローラー１８を図中時計方向に回転させる。この回転とともに、電池４、５は図中反時計方向へ回転する。
【００１６】
また、ローラー１８の回転範囲を、図２で示す、回転軸１７ａと、ローラー１８に取り付けられる形状記憶スプリング１９の一端と、引張スプリング２１の一端による角度θとするなら、形状記憶スプリング１９の一端と、引張スプリング２１の一端とのローラー１８の外周面への取り付け位置を変えることにより回転範囲θを好適に決定することができる。
【００１７】
このように、リモコン本体３の使用と未使用とを繰り返すことにより、電池４、５と一体に電池電極を回転させることができるので、電池電極表面と各々電源端子とに蓄積される酸化皮膜を自動的に頻繁に除去することができる。
【００１８】
本実施形態ではリモコン２を用いたが、電気機器本体に円柱状の電池が装填される電池室を有したラジオ、カメラ等の電気機器等に実施してもよい。
【００１９】
【発明の効果】
以上説明したように、本発明によれば、自動的に頻繁に電池を回転させることができるので、電池の接触不良を気にかける必要がなくなり、手間も掛からなくなる。また、頻繁に酸化皮膜を除去することにより、電気抵抗を低く抑えられるので、電池寿命が長くなる。また、電池室の蓋の内面側に電源端子が設けられているため蓋に細工を施すことが難しい機器においても、本発明である電池電極のクリーニング装置は、電池室内に備え付けるので問題はなく、機器の外観を損なうこともない。
【図面の簡単な説明】
【図１】本発明を実施したリモコンの外観斜視図である。
【図２】本発明を実施したリモコンに設けられた電池室の断面図である。
【符号の説明】
２  リモコン
３  リモコン本体
４、５  単三乾電池
６  電池室
１７  軸着リブ
１７ａ  回転軸
１８  ローラー
１９  形状記憶スプリング
２０ａ、２０ｂ  係止リブ
２１  引張スプリング
【図１】
2004152692.tif 000003
【図２】
2004152692.tif 000004